(57)【要約】【課題】テープを露出させず、本体がテープ全体を完全に包み込む構造により、衛生的に使用でき、しかも便利に携帯できるテープカッターの構造を提供する。【解決手段】 テープカッターの本体を中空に成型し、該本体の内部の軸管より数個のカギ状固定片を延伸して本体の枠に嵌合する。本体の頂上に設けた開口部に蓋を設置し、蓋の片側のやや両端の縁より低い場所にカッターを設置する。蓋のカッターを設置した側に対応した本体部分に溝を設け、蓋を閉じるときに嵌合して固定させる。開口部の下に本体の内リングから延伸する補助プレイトの表面を粗くすることで、テープを裁断した後、引っ張り出された部分のテープは折り重なって補助プレイトの上に、点状で粘着して収納できるため、テープの使用及び収納が便利且つ安全、且つテープを完全に本体の中に収納するため、衛生面の目的も達成する。【選択図】図５
0003129973.tif 000002
【実用新案登録請求の範囲】
【請求項１】
テープを収納する中空部を有するテープカッター本体を設け、該本体の中空部内部に設けた軸管から数個のカギ状固定片を延伸して前記本体の枠に嵌合し、前記本体の頂上に開口部を設けて該開口部を覆う蓋を設置し、前記開口部の他方側に固定溝を設けて前記蓋のフリーエンドと嵌合させるとともに、前記蓋のフリーエンドの両端より低い場所にカッターを設け、前記開口部の内リングより適切な長さを延伸して補助プレイトを形成し、該補助プレイトの表面を粗くしたことを特徴とするテープカッターの構造。
【請求項２】
前記本体は、二重のＵ字型リングの枠で構成されていることを特徴とする請求項1記載のテープカッターの構造。
【請求項３】
前記本体の中央にある軸管から数個のカギ状固定片を延伸してテープカッター本体の枠に嵌合し、テープが回転する軸としたことを特徴とする請求項1記載のテープカッターの構造。
【請求項４】
前記補助プレイトの粗い面は、ギザギザ状、或いは凹凸の模様或いは網目の形態のいずれかであることを特徴とする請求項1記載のテープカッターの構造。
【請求項５】
前記蓋の内側の面も同じく粗くすることを特徴とする請求項1記載のテープカッターの構造。
【請求項６】
前記本体のサイドにサイドプレイトを設置して、テープカッターを完全に密閉した状態にすることを特徴とする請求項1記載のテープカッターの構造。
【考案の詳細な説明】
【技術分野】
【０００１】
本考案は、テープカッターの構造に係り、特に収納されているテープを簡単に引っ張り出せて、裁断した後はテープが粘着することを防ぐようにしたテープカッターの構造に関する。
【背景技術】
【０００２】
テープは、その使用範囲がかなり広く、様々な包装、文書類の修復、看護治療する際などに使用するなど、用途によって様々なテープが提供されている。例えば、粘着用、或いは通気性の良い治療用などではその材質が異なっている。一般のオフィス文書に対する使用、或いは看護スタッフが使用する体積の比較的小さいテープは、一般的にはテープカッター内に収納された構造となっている。通常は、本体内にテープを回転可能に収納し、使用する際にテープを回転させて引っ張り出すようになっている。前記本体のテープ収納部とは反対側の突出した縁にカッターを設け、該カッターの切り口を上向きにすることで、前記引っ張り出したテープを裁断すると同時に、残ったテープの端を直接前記切り口の内側に粘着し、次回使用する際に便利な構造となっている。テープカッターは、固定した場所において使用するように設計されているため、外出或いはテープカッターを置いた場所を離れるときはなど使用できないため不便であるだけでなく、体積が大きく、机の引き出しなど安全な場所に収納しにくい。また、前記カッターの切り口が露出した上向きになっているため、接触すると、怪我をしやすいといった不都合がある。
【０００３】
テープを随時携帯するユーザーのために、小型の携帯用テープカッター本体(30)が提案されている (第6図を参照)。この携帯用テープカッターは、前記の載置用である大型テープカッターと同じく6の字に似た形に形成され、片側のカッター部分はむき出しのデザインである。第６図に示すように、本体(30)の内側中央に軸管(31)を設け、テープ(32)を嵌めて収納する。別側に突出した端にのこぎり状の切り口(33)を設けている。前記テープ(32)は軸管(31)を回転軸にし、片手で本体(30)の上下端を持ち、テープの端を持って、必要な長さを引っ張り出した後、切り口で裁断をすると同時に、残ったテープの端は切り口(33)の内側に粘着する。
【考案の開示】
【考案が解決しようとする課題】
【０００４】
このようなテープカッターは、オープンタイプであり、前記軸管(31)とテープ(32)が合致しなければ、テープ(32)は離脱しやすく、合致しすぎると、テープを引っ張るときに回転がスムーズに動かない。また、オープンタイプのデザインでは、使用する際に所持できる場所は本体（30）の端のみであるため、力を入れにくく、テープを引っ張る際に、テープ(32)に接触しやすい。さらに、実際の切り口(33)は高く突出した露出した形状であるため、使用上の安全に対する配慮が必要であり、また治療用テープを使用する際には、安全性のほかに使用上の衛生面の配慮も必要である。
【０００５】
本考案はこれらの事情に鑑みてなされたもので、テープを露出させず、本体がテープ全体を完全に包み込む構造により、衛生的に使用でき、しかも便利に携帯できるテープカッターの構造を提供することを目的とする。
【課題を解決するための手段】
【０００６】
前記課題を解決するために、本考案のテープカッターの構造は、テープを収納する中空部を有するテープカッター本体を設け、該本体の中空部内部に設けた軸管から数個のカギ状固定片を延伸して前記本体の枠に嵌合し、前記本体の頂上に開口部を設けて該開口部を覆う蓋を設置し、前記開口部の他方側に固定溝を設けて前記蓋のフリーエンドと嵌合させるとともに、前記蓋のフリーエンドの両端より低い場所にカッターを設け、前記開口部の内リングより適切な長さを延伸して補助プレイトを形成し、該補助プレイトの表面を粗くしたことを特徴とする。
【０００７】
即ち、本考案のテープカッターの構造は、中空状のテープカッター本体を備え、該中空の内部の軸管より数個のカギ状固定片を延伸して本体の枠に嵌合する。前記本体の頂上部分に蓋を設け、切り口を包み込んで収納でき、サイドにもサイドプレイトを設置することで、テープとカッターを完全に収納した安全で衛生的なデザインとなる。更に、本体の内リングから延伸する補助プレイトの表面を粗くすることで、蓋を閉じた後でも、テープが点状でプレイトと接触するために完全に粘着しない蓋を設置したことにより、従来のテープカッターの使用する際に伴う危険性を改善する。
【考案の効果】
【０００８】
本考案によれば、テープを完全に収納できる中空状のテープカッター本体を備え、本体内部の軸管から延伸する固定片を本体の枠に嵌合し、側部にサイドプレイト、頂上部分に蓋、該蓋にカッターを設けることにより、テープカッター本体の切り口を隠し、内装したテープも露出しないだけでなく、使用する際、所持する手に力が入りやすく、手もテープに触れないなど、安全面及び衛生面を共に考慮した携帯し易いという利点を有する。
【考案を実施するための最良の形態】
【０００９】
以下、図面を参照して本考案の実施例を説明する。
【００１０】
図1ないし図5は、本考案の実施例に係るテープカッターの構造を示している。テープカッターの本体(10)は、塑性材料（又は樹脂成形）で一体成型されたものであり、内側のテープ(20)と同じ形状であることが望ましい。図に示す実施例において、本体(10)の外観は二重のＵ字型枠によって囲まれ、中央にある軸管より数個のカギ状固定片(11)を延伸し、テープカッター本体（10）の枠に差込み、テープ(20)がそれを軸に回転できるように嵌合させている。
【００１１】
前記本体(10)の頂上には開口部を設け、外リングの開口部の片側に軸棒(12)を設け、開口部と同じ幅の蓋(13)を設置している。前記開口部の別側には溝(14)が形成されており、前記蓋(13)のフリーエンド側と嵌合することで、前記本体(10)の外観は平坦な形状を呈するようになっている。
【００１２】
前記蓋(13)のフリーエンド側は、該蓋(13)の両端の縁がやや突出し、縁より窪む場所にカッター(15)取り付けている。または、一体型のカッターを設置することも可能である。前記開口部の内リングより適切な長さを延伸してできた補助プレイト(16)があり、プレイトの面を粗く(17)形成している。補助プレイト(16)は、ギザギザ状、或いは凹凸の模様或いは網目の形状のいずれでもよく、主な目的は、粘着面積を減らすことである。前記蓋(13)の内側の面も同じく粗く(17)形成している。前記本体(10)のサイドにはサイドプレイト(21)を設け、該本体(10)と対応して設置する穴(18)の位置に合わせて前記サイトプレイ（21）に突設した挿入棒(22)を前記穴（18）に嵌合することにより、テープカッターの組立が完了する。この実施例では、前記挿入棒（22）と穴(18)を設けることで、本体(10)の強度を増している。
【００１３】
本実施例のテープカッターを使用する際、頂上にある蓋(13)を外向きいっぱいに開けると固定される。テープ(20)の端を補助プレイト(16)の片側の開口を通り、外まで引っ張り出した後、蓋(13)に設けてあるカッター(15)で切断する。切断された後の残ったテープの端は、カッター(15)の下に付着する。引き続き使用しない場合はそのまま蓋(13)を閉じる。引っ張り出されたテープは、蓋(13)に押されて、蓋と補助プレイト(16)の間にＵ字型に曲げられて収納され、テープの一部は蓋(13)の内側及び補助プレイト(16)に粘着する。
【００１４】
前記蓋(13)と補助プレイト(16)の表面を粗く(17)することで、テープは点状で粘着し、次回使用するとき、蓋(13)を開けると同時に、テープが一緒に出されることになる。プレイトの粗い(17)表面の形状は、凸点の配列や、凹凸の形態にし、テープが点で接触するため、次回使用するときに取り外しやすい。補助プレイト(16)の形状は、網状の透かしでも可能である。補助プレイトは本体(10)の内部に設けてあるため、その形状によりテープの密閉状態に影響を及ぼさない。
【００１５】
本実施例の他の実用的なメリットは、テープカッター本体(10)の外観をほぼ完全に密閉する形態にできることである。安全且つ衛生面を考慮して、例えば医療看護スタッフが衣服のポケットに入れて携帯使用するのに適している。手が触れるために汚れる心配や、直接接触することで感染する状況を避けることが可能である。
【００１６】
一般の文書処理の仕事上の使用でも、同等の便利性を有する。実用的な安全性のほかに、収納時にテープが互いに粘着することがない。中空の本体内部にテープを収納し、外側にサイドプレイトを設置することで本体が密閉状態を呈し、頂上に蓋、及び蓋にカッターを設けることで、蓋を閉じた後にカッターが露出しないため、使用上便利であり、及び収納する際に安全であるといった実用的な効果を持つ。また、テープが露出しないため、衛生面の要求にも適っている。
【図面の簡単な説明】
【００１７】
【図１】本考案の実施例のテープカッターの実施例の分解図である。
【図２】本実施例のテープカッター組立使用参考図である。
【図３】本実施例のテープを使用する際の平面参考図である。
【図４】本実施例のテープカッターを収納した時の平面参考図である。
【図５】本実施例の別の第二実施例の参考図である。
【図６】従来のテープカッターを説明する参考図である。
【符号の説明】
【００１８】
10  本体
11  固定片
12  軸棒
13  蓋
14  固定溝
15  カッター
16  補助プレイト
17  粗い面
18  穴
20テープ
21サイドプレイト
22挿入棒
30本体
31軸管
32テープ
33カッター
【図１】
0003129973.tif 000003
【図２】
0003129973.tif 000004
【図３】
0003129973.tif 000005
【図４】
0003129973.tif 000006
【図５】
0003129973.tif 000007
【図６】
0003129973.tif 000008